(57)【要約】【課題】従来の記録再生装置は、既存のデータのうちの再生対象の区間が指示されるとその区間のデータを再生するが、その再生後に新規のデータを続けて記録するには、ユーザに複雑な操作を要求する。【解決手段】記録再生装置１００は、音又は画像に関する既存のデータを取得する第１データ取得部２と、既存のデータのうちの再生対象の区間の指定を受け付ける区間受付部１ｂと、その区間のデータを再生する再生部３と、区間受付部１ｂが区間の指定を受け付けた場合、その区間のデータの再生が終了した後に、音又は画像に関する新規のデータを取得する第２データ取得部６と、第２データ取得部６が取得した新規のデータを記録媒体Ａに記録する記録部７とを有する。【選択図】図１
2010257558.tif 000002
【特許請求の範囲】
【請求項１】
音又は画像に関する既存のデータを取得する第１データ取得部と、
前記既存のデータのうちの再生対象の区間の指定を受け付ける区間受付部と、
前記区間受付部が受け付けた指定の区間のデータを再生する再生部と、
前記区間受付部が前記指定を受け付けた場合、前記区間のデータの再生が終了した後に、音又は画像に関する新規のデータを取得する第２データ取得部と、
前記第２データ取得部が取得した前記新規のデータを記録媒体に記録する記録部と
を備える記録再生装置。
【請求項２】
前記再生部は、前記区間受付部が前記指定を受け付けた場合、前記新規のデータが前記記録媒体に記録された後に、前記区間のデータと前記新規のデータとを連続して再生する
請求項１に記載の記録再生装置。
【請求項３】
更に、
前記再生部が前記新規のデータを再生した後に、前記新規のデータを前記記録媒体から消去する制御部を備える
請求項２に記載の記録再生装置。
【請求項４】
更に、
表示部と、
前記区間のデータの再生状態と、前記新規のデータの記録状態又は再生状態とを同時に前記表示部に表示させる制御部と
を備える請求項２に記載の記録再生装置。
【請求項５】
更に、前記区間のデータが再生されているときに、前記新規のデータの記録の指示を受け付ける記録受付部を備え、
前記第２データ取得部は、前記区間受付部が前記指定を受け付けるとともに、前記記録受付部が前記記録の指示を受け付けた場合、前記新規のデータを取得する
請求項１に記載の記録再生装置。
【請求項６】
前記第２データ取得部は、前記区間のデータに対応する期間以上の期間の前記新規のデータを取得する
請求項１に記載の記録再生装置。
【請求項７】
更に、再生されるデータに関する情報を報知する報知部を備え、
前記再生部は、前記新規のデータが前記記録媒体に記録された後に、前記区間のデータと前記新規のデータとを連続して再生し、
前記報知部は、前記再生部が前記区間のデータと前記新規のデータとを連続して再生する場合、前記再生部が前記区間のデータを再生するのか前記新規のデータを再生するのかを区別して報知する
請求項１に記載の記録再生装置。
【請求項８】
更に、複数の前記新規のデータが前記記録媒体に記録された場合、複数の前記新規のデータのうちの何れかを再生対象のデータとして受け付ける選択受付部を備え、
前記再生部は、前記区間のデータと、前記記録部が前記記録媒体に最後に記録した前記新規のデータと、前記選択受付部が受け付けた前記新規のデータとを連続して再生する
請求項１に記載の記録再生装置。
【請求項９】
前記再生部は、前記第２データ取得部が前記新規のデータを取得しているときに前記区間のデータを再生する
請求項１に記載の記録再生装置。
【請求項１０】
前記第２データ取得部は、所定の期間、無音が続いたことを検出すると、前記新規のデータの取得を終了する
請求項１に記載の記録再生装置。
【請求項１１】
更に、前記新規のデータの記録の指示を受け付ける記録受付部を備え、
前記記録部は、前記再生部が前記区間のデータを繰り返して再生しているときに前記記録受付部が前記記録の指示を受け付けた場合、前記区間のデータの再生が終了した後に、前記新規のデータの前記記録媒体への記録を開始する
請求項１に記載の記録再生装置。
【請求項１２】
前記再生部は、前記新規のデータが前記記録媒体に記録された後に、前記区間のデータと前記新規のデータとを繰り返して再生する
請求項１１に記載の記録再生装置。
【請求項１３】
更に、前記再生部が前記区間のデータと前記新規のデータとを繰り返して再生しているときに前記記録受付部が新たな記録の指示を受け付けた場合、前記新規のデータを前記記録媒体から消去する制御部を備える
請求項１２に記載の記録再生装置。
【発明の詳細な説明】
【技術分野】
【０００１】
本発明は、音又は画像のデータの記録及び再生を行う記録再生装置に関する。
【背景技術】
【０００２】
従来から、楽器や語学の練習のためにテープレコーダやボイスレコーダ等の記録再生装置が利用されている。例えば、楽器や語学のレッスンを受けている者（以下、「生徒」という。）は、先生が演奏する音や発する音を模範音として記録再生装置により記録し、後にそれを再生して模範音を参考に練習する。その後、生徒は自らが演奏する音や発する音を記録再生装置により記録し、先生の模範音と自らの音とを再生して聞き比べ、更なる練習を行う。
【先行技術文献】
【特許文献】
【０００３】
【特許文献１】特開平７−２８３８４号公報
【発明の概要】
【発明が解決しようとする課題】
【０００４】
生徒は、レッスンの対象となっている楽曲や会話の全体ではなく、特定の区間を重点的に練習することも多く、全体のデータのうちの特定の区間の模範音を繰り返し聞くこともある。そして、生徒は、特定の区間が再生された後にそれをまねて自らの音を記録し、それらを再生して聞き比べ、練習を行う。
【０００５】
しかしながら、従来の記録再生装置は、模範音の全体のデータのうちの特定の区間のデータを再生した後に生徒の音を記録する場合、ユーザに複雑な操作を要求する。
【０００６】
すなわち、従来の記録再生装置は、既存のデータのうちの再生対象の区間が指示されるとその区間のデータを再生するが、その再生後に新規のデータを続けて記録するには、ユーザに複雑な操作を要求する。
【０００７】
本発明は、簡単な操作により、既存のデータのうちの再生対象の区間のデータを再生した後に新規のデータを続けて記録する記録再生装置を提供することを目的とする。
【課題を解決するための手段】
【０００８】
上記課題を解決し上記目的を達成するために、本発明の記録再生装置は、音又は画像に関する既存のデータを取得する第１データ取得部と、前記既存のデータのうちの再生対象の区間の指定を受け付ける区間受付部と、前記区間受付部が受け付けた指定の区間のデータを再生する再生部と、前記区間受付部が前記指定を受け付けた場合、前記区間のデータの再生が終了した後に、音又は画像に関する新規のデータを取得する第２データ取得部と、前記第２データ取得部が取得した前記新規のデータを記録媒体に記録する記録部とを備える。
【発明の効果】
【０００９】
本発明は、簡単な操作により、既存のデータのうちの再生対象の区間のデータを再生した後に新規のデータを続けて記録する記録再生装置を提供することができる。
【図面の簡単な説明】
【００１０】
【図１】実施の形態１の記録再生装置の構成図である。
【図２】実施の形態１の記録再生装置の動作の各ステップを示すフローチャートである。
【図３】既存のデータと、リピート区間と、新規のデータと、リピート区間及び新規のデータの再生とを説明するための図である。
【図４】リピート区間の終点が再生され、新規のデータが記録媒体へ記録されていることを示す図である。
【図５】リピート区間と新規のデータとのいずれが再生されているのかを示す図である。
【図６】記録媒体に複数の新規のデータが存在している状況を示す図である。
【図７】実施の形態１の第２の記録再生装置の構成図である。
【図８】実施の形態２の記録再生装置の構成図である。
【図９】実施の形態２の記録再生装置の動作の各ステップを示すフローチャートである。
【図１０】リピート区間と新規のデータとが繰り返して再生される際の動作の手順を示すフローチャートである。
【発明を実施するための形態】
【００１１】
以下に、本発明を実施するための形態を図面を参照して説明する。
【００１２】
（実施の形態１）
先ず、実施の形態１の記録再生装置１００の構成を図１を用いて説明する。図１は、実施の形態１の記録再生装置１００の構成図である。
【００１３】
実施の形態１の記録再生装置１００は、音のデータの記録及び再生を行う装置であって、図１に示すように、受付部１と、第１データ取得部２と、再生部３と、音出力部４と、音取得部５と、第２データ取得部６と、記録部７と、制御部８と、表示部９と、発光部１０とを有する。なお、図１には、音のデータが予め記録されている記録媒体Ａも表示されている。以下の説明では、記録媒体Ａに予め記録されている音のデータを「既存のデータ」と表記する。
【００１４】
受付部１は、実施の形態１の記録再生装置１００のユーザの指示を受け付ける構成部であって、再生受付部１ａと、区間受付部１ｂと、記録受付部１ｃとを有する。再生受付部１ａは、記録媒体Ａに記録されている既存のデータの再生の指示を受け付け、区間受付部１ｂは、既存のデータのうちの繰り返して再生する区間を受け付け、記録受付部１ｃは、新たな音のデータの記録の指示を受け付ける。受付部１は、例えば、ユーザが図示しない操作部に入力した操作に対応する指示を操作部から受け付ける部分である。操作部は記録再生装置に設けられており、例えば再生ボタン、区間ボタン、記録ボタンなどを有している。また、受付部１は、図示しないリモコン送信機からのリモコン信号を受信する受信部であってもよい。
【００１５】
第１データ取得部２は、記録媒体Ａから音のデータを取得する。再生部３は、第１データ取得部２によって取得される音のデータを再生する。音出力部４は、再生部３によって再生されるデータの音を実施の形態１の記録再生装置１００の外部に出力する。音取得部５は、実施の形態１の記録再生装置１００の外部から音を取得し、その音のデータを生成する。以下の説明では、音取得部５が生成する音のデータを「新規のデータ」と表記する。
【００１６】
第２データ取得部６は、音取得部５から新規のデータを取得する。記録部７は、第２データ取得部６によって取得される新規のデータを記録媒体Ａに記録する。制御部８は、再生部３及び記録部７等の動作を制御する。表示部９は、例えば液晶表示装置であって情報を表示する。発光部１０は、例えば発光ダイオードであって光を発する。
【００１７】
次に、実施の形態１の記録再生装置１００の動作を図２を用いて説明する。図２は、実施の形態１の記録再生装置１００の動作の各ステップを示すフローチャートである。
【００１８】
ユーザが、実施の形態１の記録再生装置１００の筐体に設けられている再生ボタンを押下し、記録媒体Ａに記録されている既存のデータの再生を指示すると、再生受付部１ａはその指示を受け付け、第１データ取得部２は、記録媒体Ａから既存のデータを取得する。再生部３は、第１データ取得部２によって取得された既存のデータを再生し（Ｓ１）、音出力部４は、再生部３によって再生された既存のデータの音を実施の形態１の記録再生装置１００の外部に出力する。
【００１９】
既存のデータが再生されているとき、ユーザは、既存のデータのうちの特定の区間を繰り返して再生させたいと考えることがある。例えば、ユーザが楽器のレッスンを受けている者であり、既存のデータがそのレッスンの先生が演奏した音のデータであって、そのうちの特定の区間のみを繰り返し聞いて練習しようと考え、その区間を繰り返して再生させたいと考えることがある。
【００２０】
その場合、既存のデータのうちの繰り返して再生させたいと考える区間（以下、「リピート区間」という。）の始点が再生されたとき、ユーザは、実施の形態１の記録再生装置１００の筐体に設けられている区間ボタンを押下する。それにより、区間受付部１ｂは、リピート区間の始点を受け付け、再生部３はその位置を保持する（Ｓ２）。ユーザが区間ボタンを押下しても既存のデータの再生は続行しており、リピート区間の終点が再生されたとき、ユーザは区間ボタンを再び押下する。それにより、区間受付部１ｂは、リピート区間の終点を受け付け、再生部３はその位置を保持する（Ｓ２）。
【００２１】
このようにして、区間受付部１ｂは、図３（Ｂ）に示す既存のデータのうちの符号“ａ”と符号“ｂ”とで挟まれるリピート区間Ｘを受け付ける（Ｓ２）。図３は、既存のデータ及びリピート区間等を説明するための図であって、図３（Ａ）は、既存のデータを説明するための図であり、図３（Ｂ）は、リピート区間Ｘを説明するための図である。図３（Ａ）及び図３（Ｂ）において、符号“Ｓ”は既存のデータの始点を示し、符号“Ｅ”は既存のデータの終点を示している。図３（Ｂ）において、符号“ａ”はリピート区間Ｘの始点を示し、符号“ｂ”はリピート区間Ｘの終点を示している。図３（Ｃ）及び図３（Ｄ）については後述する。
【００２２】
区間受付部１ｂがリピート区間を受け付けると、再生部３はリピート区間を再生し（Ｓ３）、音出力部４は、再生部３によって再生されるリピート区間の音を実施の形態１の記録再生装置１００の外部に出力する。
【００２３】
リピート区間が再生されているとき、ユーザは、音のデータを記録媒体Ａに記録したいと考えることがある。例えば、ユーザが楽器のレッスンを受けている者であり、既存のデータがそのレッスンの先生が演奏した音のデータであって、既存のデータの一部であるリピート区間の音を聞いた後に先生が演奏した音と自らが演奏する音とを聞き比べるために、ユーザは、自らが演奏する音のデータを記録媒体Ａに記録したいと考えることがある。
【００２４】
その場合、リピート区間が再生されているとき、ユーザは、実施の形態１の記録再生装置１００の筐体に設けられている記録ボタンを押下し、新規のデータの記録媒体Ａへの記録を指示し、記録受付部１ｃはその指示を受け付ける（Ｓ４）。
【００２５】
制御部８は、リピート区間の終点が再生された後に新規のデータの記録媒体Ａへの記録が行われることを表示部９により表示させる。また、制御部８は、発光部１０を点滅させ、リピート区間の終点が再生された後に新規のデータの記録媒体Ａへの記録が行われることを実施の形態１の記録再生装置１００の外部に報知させる。
【００２６】
そして、制御部８は、リピート区間の終点が再生されたか否かを判断する（Ｓ５）。リピート区間の終点が再生されていなければ（Ｓ５でＮｏ）、リピート区間の再生が続行する。リピート区間の終点が再生されたと判断すると（Ｓ５でＹｅｓ）、制御部８は、新規のデータの記録媒体Ａへの記録が開始されることを示す音を音出力部４により出力させ、新規のデータの記録媒体Ａへの記録の開始を実施の形態１の記録再生装置１００の外部に報知させる。
【００２７】
例えば、制御部８は、「ピッ」という音を音出力部４により出力させ、新規のデータの記録媒体Ａへの記録の開始を実施の形態１の記録再生装置１００の外部に報知させる。これにより、ユーザは、記録対象の音のデータである新規のデータの記録媒体Ａへの記録が開始されたことを知ることができる。例えば、ユーザが楽器のレッスンを受けている者であれば、後に先生が演奏した音と自らが演奏する音とを聞き比べるために、ユーザは、楽器の演奏を開始することができる。
【００２８】
音取得部５は、実施の形態１の記録再生装置１００の外部から音を取得し、その音についてのデータである新規のデータを生成し、第２データ取得部６は、音取得部５から新規のデータを取得し、記録部７は、第２データ取得部６によって取得された新規のデータの記録媒体Ａへの記録を開始する（Ｓ６）。
【００２９】
その際、制御部８は、図４に示すように、リピート区間の終点が再生され、新規のデータが記録媒体Ａへ記録されていることを示す情報を表示部９により表示させる。また、制御部８は、発光部１０を連続的に発光させ、新規のデータが記録媒体Ａへ記録されていることを実施の形態１の記録再生装置１００の外部に報知させる。なお、図４は、リピート区間の終点が再生され、新規のデータが記録媒体Ａへ記録されていることを示す図であって、図４において、水平方向のバーの斜線が施されている部分は、リピート区間の再生が終了していることを、又は新規データのうちの記録が終了している部分を示している。実施の形態１では、このようにリピート区間の再生状態と新規のデータの記録状態とを同時に表示するようにしている。
【００３０】
制御部８は、新規のデータの記録媒体Ａへの記録が開始した時を基準として、リピート区間の再生期間に所定の期間を加えた期間（以下、「規定期間」という。）が到来したか否かを判断する（Ｓ７）。規定期間が到来していなければ（Ｓ７でＮｏ）、新規のデータの記録媒体Ａへの記録は続行し、規定期間が到来したら（Ｓ７でＹｅｓ）、記録部７は、新規のデータの記録媒体Ａへの記録を終了する（Ｓ８）。すなわち、図３（Ｃ）に示すように、符号“ａ’”を始点とし、符号“ｂ’”を終点とする新規のデータＹが、記録媒体Ａに記録される。図３（Ｃ）は、新規のデータＹを説明するための図である。
【００３１】
制御部８は、新規のデータの記録媒体Ａへの記録が終了し、リピート区間と新規のデータとが連続して再生されることを示す音を音出力部４により出力させる。例えば、制御部８は、「ピッピッ」という音を音出力部４により出力させ、リピート区間と新規のデータとが連続して再生されることを実施の形態１の記録再生装置１００の外部に報知させる。
【００３２】
新規のデータの記録媒体Ａへの記録が終了すると、第１データ取得部２は、記録媒体Ａからリピート区間と新規のデータとを取得し、再生部３は、第１データ取得部２によって取得されたリピート区間と新規のデータとを連続して再生する（Ｓ９）。すなわち、図３（Ｄ）に示すように、再生部３は、リピート区間Ｘと新規のデータＹとを連続して再生する（Ｓ８）。図３（Ｄ）は、リピート区間Ｘと新規のデータＹとが連続して再生される様子を示す図である。そして、音出力部４は、再生部３によって再生されたリピート区間の音と新規のデータの音とを実施の形態１の記録再生装置１００の外部に連続して出力する。これにより、ユーザは、リピート区間の音と新規のデータの音とを聞き比べることができる。
【００３３】
なお、制御部８は、リピート区間と新規のデータとが連続して再生されているとき、図５に示すように、リピート区間と新規のデータとのいずれが再生されているのかを示す情報を表示部９により表示させる。図５（Ａ）は、リピート区間が再生されていることを示す図であり、図５（Ｂ）は、新規のデータが再生されていることを示す図である。図５（Ａ）及び図５（Ｂ）において、水平方向のバーの斜線が施されている部分は、リピート区間又は新規データのうちの再生が終了している部分を示している。このように、表示部９は、リピート区間が再生されているとき、図５（Ａ）に示す情報を表示し、新規のデータが再生されているとき、図５（Ｂ）に示す情報を表示する。実施の形態１では、このようにリピート区間の再生状態と新規のデータの再生状態とを同時に表示するようにしている。
【００３４】
制御部８は、リピート区間及び新規のデータの再生が終了すると、新規のデータを消去させるための指示をユーザに行わせる手間を省略して、記録媒体Ａから新規のデータを消去し（Ｓ１０）、実施の形態１の記録再生装置１００の動作は終了する。
【００３５】
上述したように、実施の形態１の記録再生装置１００は、リピート区間が再生されているときに新規のデータの記録が指示されると、リピート区間の終点が再生された後に、新規のデータを記録媒体Ａに記録し、その後、リピート区間と新規のデータとを連続して再生する。実施の形態１の記録再生装置１００のユーザが楽器のレッスンを受けている者であり、既存のデータがそのレッスンの先生が演奏した音のデータであって、ユーザが自らが演奏した音のデータを新規のデータとして実施の形態１の記録再生装置１００により記録媒体Ａに記録させれば、ユーザは、データの再生の指示を行わなくてもリピート区間と新規のデータとを聞き比べることができる。
【００３６】
なお、リピート区間と新規のデータとが連続して再生されるとき、リピート区間と新規のデータとのいずれが先に再生されてもよい。
【００３７】
また、実施の形態１の記録再生装置１００は、リピート区間が指示されると、リピート区間が再生されているときに新規のデータの記録が指示されなくても、リピート区間の終点が再生された後に、新規のデータを記録媒体Ａに記録し、その後、リピート区間と新規のデータとを連続して再生してもよい。これにより、実施の形態１の記録再生装置１００は、既存のデータのうちの再生対象の区間が指示されると、その区間のデータを再生するとともに、その指示とは別の記録の指示がなくても新規のデータを記録媒体に記録するという効果が発揮される。
【００３８】
また、リピート区間は、既存のデータの一部ではなくて既存のデータの全部であってもよい。
【００３９】
また、新規のデータの期間は、リピート区間の再生期間に所定の期間を加えた期間であると限定されない。新規のデータの期間は、リピート区間の再生期間に１以上の所定の係数を乗じることによって得られる期間であってもよい。リピート区間と新規のデータとを比較するためには、新規のデータの期間は、リピート区間の再生期間以上の期間であることが望ましいが、リピート区間の再生期間より短い期間であってもよい。なお、リピート区間の再生期間は、リピート区間に対応する期間と同義である。
【００４０】
また、リピート区間と新規のデータとが連続して再生されるとき、制御部８は、リピート区間の再生の直前に音出力部４により所定の音を出力させ、リピート区間の再生が開始することを実施の形態１の記録再生装置１００の外部に報知してもよい。同様に、制御部８は、新規のデータの再生の直前に音出力部４により所定の音を出力させ、新規のデータの再生が開始することを実施の形態１の記録再生装置１００の外部に報知してもよい。その際、リピート区間の再生の直前に出力される音と、新規のデータの再生の直前に出力される音とは、両者を区別するために異なることが好ましい。
【００４１】
また、上述した実施の形態１では、制御部８は、ステップＳ６において、新規のデータの記録媒体Ａへの記録が開始した時を基準として規定期間が到来したかどうかを判断するが、制御部８は、新規のデータの記録媒体Ａへの記録の終了が指示されたか否かを判断してもよい。その場合、記録の終了が指示されなければ、新規のデータの記録媒体Ａへの記録は続行し、記録の終了が指示されれば、記録部７は、新規のデータの記録媒体Ａへの記録を終了する。
【００４２】
また、記録部７は、所定の期間の無音の新規のデータを記録媒体Ａに記録した場合、又は、第２データ取得部６が所定の期間の無音を検出した場合、新規のデータの記録媒体Ａへの記録を終了してもよい。いずれにしても、新規のデータの記録媒体Ａへの記録が終了すると、再生部３は、リピート区間と新規のデータとを連続して再生する。なお、第２データ取得部６は、所定の期間、無音が続いたことを検出すると、新規のデータの取得を終了してもよい。
【００４３】
また、第２データ取得部６が新規のデータを取得して記録部７が新規のデータを記録媒体Ａに記録しているときに、再生部３は、リピート区間を再生してもよい。その際、ユーザは、自らの音を記録させるために、再生部３によって再生される音をヘッドホンを介して聞いてもよい。
【００４４】
更に、上述した実施の形態１では、制御部８は、リピート区間と新規のデータとの連続再生が終了すると、記録媒体Ａから新規のデータを消去するが、制御部８は、リピート区間及び新規のデータの再生が終了しても、新規のデータを消去しなくてもよい。その場合、リピート区間に対応する複数の新規のデータが記録媒体Ａに存在する事態も起こりうるが、その際、実施の形態１の記録再生装置１００は、複数の新規のデータのうちのユーザによって選択されたデータと、複数の新規のデータのうちの最後に記録媒体Ａに記録されたデータと、リピート区間とを連続して再生してもよい。
【００４５】
例えば、図６に示すように、Ｎｏ．１からＮｏ．７までの７個の新規のデータが記録媒体Ａに存在していてもよい。図６では、Ｎｏ．１のデータが最後に記録されたデータであり、Ｎｏ．７のデータが最先に記録されたデータであって、数が大きいほどデータは古いという状況を想定している。実施の形態１の記録再生装置１００は、図７に示すように、記録媒体Ａに存在する複数の新規のデータのうちの何れかの選択をユーザから受け付ける選択受付部１ｄを更に有する。ここで、ユーザが記録媒体Ａに存在している７個の新規のデータのうちのＮｏ．１のデータを選択し、選択受付部１ｄがその選択を受け付けた場合、再生部３は、ユーザによって選択されたＮｏ．１のデータと、最後に記録されたＮｏ．７のデータと、リピート区間とを連続して再生する。また、この時、再生部３は、複数の新規のデータのうちのユーザによって選択されたＮｏ．１のデータと、最後に記録されたＮｏ．７のデータと、リピート区間の内、いずれか２つを連続再生するようにしてもよい。
【００４６】
Ｎｏ．１のデータが最初の練習のときに記録された音のデータであり、Ｎｏ．７のデータが最後の練習のときに記録された音のデータであり、リピート区間が先生の演奏した音の特定の区間の音のデータであれば、ユーザは、自らの音と先生の音とを聞き比べることができるとともに、上達の程度を知ることができる。すなわち、ユーザは、複数の新規のデータを比較することができる。
【００４７】
（実施の形態２）
次に、実施の形態２の記録再生装置２００を図８及び図９を用いて説明する。
【００４８】
図８は、実施の形態２の記録再生装置２００の構成図であり、図９は、実施の形態２の記録再生装置２００の動作の各ステップを示すフローチャートである。実施の形態２の記録再生装置２００は、図１に示す実施の形態１の記録再生装置１００の各構成部に加えて停止受付部１ｅを有する。実施の形態２の記録再生装置２００と図１に示す実施の形態１の記録再生装置１００とは多くの点で共通しているので、以下では、実施の形態２の記録再生装置２００の構成をその動作とともに説明する。
【００４９】
ユーザが、実施の形態２の記録再生装置２００の筐体に設けられている再生ボタンを押下し、記録媒体Ａに記録されている既存のデータの再生を指示すると、再生受付部１ａはその指示を受け付け、第１データ取得部２は、記録媒体Ａから既存のデータを取得する。再生部３は、第１データ取得部２によって取得された既存のデータを再生し（Ｓ２１）、音出力部４は、再生部３によって再生された既存のデータの音を実施の形態２の記録再生装置２００の外部に出力する。
【００５０】
既存のデータが再生されているとき、ユーザは、既存のデータのうちの特定の区間を繰り返して再生させたいと考えることがある。その場合、既存のデータのうちの繰り返して再生させたいと考える区間（リピート区間）の始点が再生されたとき、ユーザは、実施の形態２の記録再生装置２００の筐体に設けられている区間ボタンを押下する。それにより、区間受付部１ｂは、リピート区間の始点を受け付け（Ｓ２２でＹｅｓ）、再生部３はその位置を保持する（Ｓ２３）。
【００５１】
ユーザが区間ボタンを押下しても既存のデータの再生は続行しており、リピート区間の終点が再生されたとき、ユーザは区間ボタンを再び押下する。それにより、区間受付部１ｂは、リピート区間の終点を受け付け（Ｓ２４でＹｅｓ）、再生部３はその位置を保持する（Ｓ２５）。このようにして、リピート区間が指定される。
【００５２】
そして、再生部３は、リピート区間の繰り返し再生を開始する（Ｓ２６）。音出力部４は、再生部３によって繰り返して再生されるリピート区間の音を実施の形態２の記録再生装置２００の外部に出力する。
【００５３】
リピート区間が繰り返して再生されているとき、ユーザは、リピート区間を変更したいと考える場合がある。その場合、ユーザは区間ボタンを再び押下し、リピート区間の変更を指示し、区間受付部１ｂは、リピート区間の変更の指示を受け付け（Ｓ２７でＣｈｇ）、実施の形態２の記録再生装置２００の動作はステップＳ２２に移行する。
【００５４】
また、リピート区間が繰り返して再生されているとき、ユーザは、音のデータを記録媒体Ａに記録したいと考える場合がある。その場合、ユーザは、実施の形態２の記録再生装置２００の筐体に設けられている記録ボタンを押下し、新規のデータの記録媒体Ａへの記録を指示し、記録受付部１ｃはその指示を受け付ける（Ｓ２７でＲｅｃ）。
【００５５】
制御部８は、リピート区間の終点が再生された後に新規のデータの記録媒体Ａへの記録が行われることを表示部９により表示させる（Ｓ２８）。また、制御部８は、発光部１０を点滅させ、リピート区間の終点が再生された後に新規のデータの記録媒体Ａへの記録が行われることを実施の形態２の記録再生装置２００の外部に予告する（Ｓ２８）。
【００５６】
そして、制御部８は、リピート区間の終点が再生されたか否かを判断する（Ｓ２９）。リピート区間の終点が再生されていなければ（Ｓ２９でＮｏ）、リピート区間の再生が続行する。リピート区間の終点が再生されたと判断すると（Ｓ２９でＹｅｓ）、制御部８は、新規のデータの記録媒体Ａへの記録が開始されることを示す音を音出力部４により出力させ、新規のデータの記録媒体Ａへの記録の開始を実施の形態２の記録再生装置２００の外部に報知させる（Ｓ３０）。例えば、制御部８は、「ピッ」という音を音出力部４により出力させ、新規のデータの記録媒体Ａへの記録の開始を実施の形態２の記録再生装置２００の外部に報知させる（Ｓ３０）。これにより、ユーザは、記録対象の音のデータである新規のデータの記録媒体Ａへの記録が開始されたことを知ることができる。
【００５７】
音取得部５は、実施の形態２の記録再生装置２００の外部から音を取得し、その音についてのデータである新規のデータを生成し、第２データ取得部６は、音取得部５から新規のデータを取得し、記録部７は、第２データ取得部６によって取得される新規のデータの記録媒体Ａへの記録を開始する（Ｓ３１）。その際、制御部８は、発光部１０を連続的に発光させ、新規のデータが記録媒体Ａに記録されていることを実施の形態２の記録再生装置２００の外部に報知させる。また、制御部８は、図４に示すように、リピート区間の終点が再生され、新規のデータが記録媒体Ａへ記録されていることを示す情報を表示部９により表示させる。
【００５８】
制御部８は、新規のデータの記録媒体Ａへの記録が開始した時を基準として、リピート区間の再生期間に所定の期間を加えた規定期間が到来したか否かを判断する（Ｓ３２）。また、制御部８は、停止受付部１ｅが新規のデータの記録媒体Ａへの記録の停止を受け付けたか否かを判断する（Ｓ３２）。規定期間が到来しておらず、停止受付部１ｅが記録の停止を受け付けていなければ（Ｓ３２でＮｏ）、新規のデータの記録媒体Ａへの記録は続行する。それに対して、規定期間が到来した場合、又は、停止受付部１ｅが記録の停止を受け付けた場合（Ｓ３２でＹｅｓ）、記録部７は、新規のデータの記録媒体Ａへの記録を終了する（Ｓ３３）。
【００５９】
新規のデータの記録が終了すると、制御部８は、新規のデータの記録媒体Ａへの記録が終了し、リピート区間と新規のデータとが連続して再生されることを示す音を音出力部４により出力させる（Ｓ３４）。例えば、制御部８は、「ピッピッ」という音を音出力部４により出力させ、リピート区間と新規のデータとが連続して再生されることを実施の形態２の記録再生装置２００の外部に予告する（Ｓ３４）。
【００６０】
そうすると、第１データ取得部２は、記録媒体Ａからリピート区間と新規のデータとを取得し、再生部３は、第１データ取得部２によって取得されたリピート区間と新規のデータとの繰り返し再生を開始する（Ｓ３５）。そして、音出力部４は、再生部３によって再生されたリピート区間の音と新規のデータの音とを実施の形態２の記録再生装置２００の外部に連続して出力する。これにより、ユーザは、リピート区間の音と新規のデータの音とを聞き比べることができる。
【００６１】
なお、再生部３がリピート区間と新規のデータとの繰り返し再生を行う際の具体的な手順は図１０に示す通りである。図１０は、リピート区間と新規のデータとが繰り返して再生される際の動作の手順を示すフローチャートである。すなわち、再生部３はリピート区間を再生し（Ｓ４１）、リピート区間の再生が終了すると、制御部８は、リピート区間の再生が終了したことを示すリピート区間再生終了音を音出力部４により出力させる（Ｓ４２）。そして、再生部３は新規のデータを再生し（Ｓ４３）、新規のデータの再生が終了すると、制御部８は、新規のデータの再生が終了したことを示す新規のデータ再生終了音を音出力部４により出力させる（Ｓ４４）。そして、実施の形態２の記録再生装置２００の動作はステップＳ４１に移行する。
【００６２】
また、制御部８は、リピート区間と新規のデータとが連続して再生されているとき、図５に示すように、リピート区間と新規のデータとのいずれが再生されているのかを示す情報を表示部９により表示させる。具体的には、表示部９は、リピート区間が再生されているとき、図５（Ａ）に示す情報を表示し、新規のデータが再生されているとき、図５（Ｂ）に示す情報を表示する。このように、表示部９は、リピート区間の再生状態と新規のデータの再生状態とを同時に表示する。
【００６３】
図９に戻り、リピート区間と新規のデータとが繰り返して再生されているとき（Ｓ３５）、記録受付部１ｃが記録の指示を受け付けた場合（Ｓ３６でＲｅｃ）、制御部８は、記録媒体Ａに記録されている新規のデータを消去する（Ｓ３７）。そして、実施の形態２の記録再生装置２００の動作はステップＳ２８に移行する。
【００６４】
他方、リピート区間と新規のデータとが繰り返して再生されているとき（Ｓ３５）、区間受付部１ｂがリピート区間の変更の指示を受け付けた場合（Ｓ３６でＲｅｐ）、制御部８は、記録媒体Ａに記録されている新規のデータを消去する（Ｓ３８）。そして、実施の形態２の記録再生装置２００の動作は終了する。
【００６５】
なお、ステップＳ３５においてリピート区間と新規のデータとが連続して再生されるとき、リピート区間と新規のデータとのいずれが先に再生されてもよい。
【００６６】
また、実施の形態２の記録再生装置２００は、リピート区間が指示されると、リピート区間が再生されているときに新規のデータの記録が指示されなくても、リピート区間の終点が再生された後に、新規のデータを記録媒体Ａに記録し、その後、リピート区間と新規のデータとを連続して再生してもよい。これにより、実施の形態２の記録再生装置２００は、既存のデータのうちの再生対象の区間が指示されると、その区間のデータを再生するとともに、その指示とは別の記録の指示がなくても新規のデータを記録媒体に記録するという効果が発揮される。
【００６７】
また、リピート区間は、既存のデータの一部ではなくて既存のデータの全部であってもよい。
【００６８】
また、新規のデータの期間は、リピート区間の再生期間に所定の期間を加えた期間であると限定されない。新規のデータの期間は、リピート区間の再生期間に１以上の所定の係数を乗じることによって得られる期間であってもよい。リピート区間と新規のデータとを比較するためには、新規のデータの期間は、リピート区間の再生期間以上の期間であることが望ましいが、リピート区間の再生期間より短い期間であってもよい。
【００６９】
また、上述した実施の形態２では、新規のデータの記録媒体Ａへの記録が開始した時を基準として規定期間が到来した場合（Ｓ３２でｙｅｓ）と、停止受付部１ｅが新規のデータの記録媒体Ａへの記録の停止を受け付けた場合（Ｓ３２でｙｅｓ）、記録部７は、新規のデータの記録媒体Ａへの記録を終了する（Ｓ３３）。しかしながら、記録部７は、所定の期間の無音の新規のデータを記録媒体Ａに記録した場合、又は、第２データ取得部６が所定の期間の無音を検出した場合、新規のデータの記録媒体Ａへの記録を終了してもよい。いずれにしても、新規のデータの記録媒体Ａへの記録が終了すると、再生部３は、リピート区間と新規のデータとを連続して再生する。なお、第２データ取得部６は、所定の期間、無音が続いたことを検出すると、新規のデータの取得を終了してもよい。
【００７０】
また、第２データ取得部６が新規のデータを取得して記録部７が新規のデータを記録媒体Ａに記録しているときに、再生部３は、リピート区間を再生してもよい。その際、ユーザは、自らの音を記録させるために、再生部３によって再生される音をヘッドホンを介して聞いてもよい。
【００７１】
更に、上述した実施の形態２では、制御部８は、リピート区間と新規のデータとが繰り返して再生されているとき、記録受付部１ｃが記録の指示を受け付けた場合、記録媒体Ａに記録されている新規のデータを消去する。また、制御部８は、リピート区間と新規のデータとが繰り返して再生されているとき、区間受付部１ｂがリピート区間の変更の指示を受け付けた場合、記録媒体Ａに記録されている新規のデータを消去する。
【００７２】
しかしながら、制御部８は、リピート区間と新規のデータとが繰り返して再生されているとき、記録受付部１ｃが記録の指示を受け付けても、区間受付部１ｂがリピート区間の変更の指示を受け付けても、新規のデータを消去しなくてもよい。その場合、リピート区間に対応する複数の新規のデータが記録媒体Ａに存在する事態も起こりうるが、その際、実施の形態２の記録再生装置２００は、複数の新規のデータのうちのユーザによって選択されるデータと、複数の新規のデータのうちの最後に記録媒体Ａに記録されたデータと、リピート区間とを連続して再生してもよい。
【００７３】
つまり、実施の形態２の記録再生装置２００の受付部１は、記録媒体Ａに存在する複数の新規のデータのうちの何れかの選択をユーザから受け付け、再生部３は、複数の新規のデータのうちのユーザによって選択されたデータと、複数の新規のデータのうちの最後に記録媒体Ａに記録されたデータと、リピート区間とを連続して再生してもよい。また、この時、再生部３は、複数の新規のデータのうちのユーザによって選択されるデータと、複数の新規のデータのうちの最後に記録媒体Ａに記録されたデータと、リピート区間の内、いずれか２つを連続再生するようにしてもよい。
【００７４】
なお、上述した各実施の形態では、再生及び記録の対象のデータが音のデータである場合を想定して説明したが、再生及び記録の対象のデータは、画像のデータであってもよい。画像には、動画及び静止画が含まれる。
【符号の説明】
【００７５】
１００  実施の形態１の記録再生装置、  １  受付部、  ２  第１データ取得部、  ３  再生部、  ４  音出力部、  ５  音取得部、  ６  第２データ取得部、  ７  記録部、  ８  制御部、  ９  表示部、  １０  発光部、  Ａ  記録媒体。
【図１】
2010257558.tif 000003
【図２】
2010257558.tif 000004
【図３】
2010257558.tif 000005
【図４】
2010257558.tif 000006
【図５】
2010257558.tif 000007
【図６】
2010257558.tif 000008
【図７】
2010257558.tif 000009
【図８】
2010257558.tif 000010
【図９】
2010257558.tif 000011
【図１０】
2010257558.tif 000012